(57)【要約】【課題】  撮像装置内に発熱源が複数ある場合においても、夫々の発熱源を効率良く冷却し、温度を均一化することで撮影可能時間を延ばすことが可能な撮像装置を提供することである。【解決手段】  撮像素子と画像処理回路を実装した回路基板を含む複数の発熱源と、該複数の発熱源を冷却するためのファンと、前記複数の発熱源に前記ファンの風を送風する風向板と、前記複数の発熱源の内、所望の発熱源に送風するために前記風向板の角度を制御する風向制御手段と、撮影モードを選択する撮影モード選択手段を有する撮像装置において、前記複数の発熱源における温度上昇率を撮影条件毎に記憶する温度上昇率記憶手段を有し、前記撮影モード選択手段により選択された撮影モードにおける温度上昇率が高い発熱源から順に送風し、温度上昇率の高い発熱源の送風時間比率を高くすることを特徴とする構成とした。【選択図】  図１
2019193174.tif 000002
【特許請求の範囲】
【請求項１】
撮像素子（１４）と画像処理回路を実装した回路基板（１６）を含む複数の発熱源と、
該複数の発熱源を冷却するためのファン（３２）と、
前記複数の発熱源に前記ファン（３２）の風を送風する風向板（３６）と、
前記複数の発熱源の内、所定の発熱源に送風するために前記風向板（３６）の角度を制御する風向制御手段（３８）と、
撮影モードを選択する撮影モード選択手段（６０）を有する撮像装置において、
前記複数の発熱源における温度上昇率を撮影条件毎に記憶する温度上昇率記憶手段（２４）を有し、
前記撮影モード選択手段（６０）により選択された撮影モードにおける温度上昇率が高い発熱源から順に送風し、
送風時間比率は温度上昇率の高い発熱源の送風時間を長くすることを特徴とする撮像装置（１００）。
【請求項２】
前記撮影モードが動画撮影モードの場合は、
第１に前記回路基板（５０）に向けて送風し、
前記送風時間比率は、前記撮像素子（１４）よりも前記回路基板（５０）の比率を高くすることを特徴とする請求項１に記載の撮像装置（１００）。
【請求項３】
前記撮影モードが動画撮影モードであり、フレームレートが所定値以上である場合は、
第１に前記回路基板（５０）に向けて送風し、
前記送風時間比率は、前記回路基板（５０）の比率が第１の送風時間比率よりも高い第２の送風時間比率とすることを特徴とする請求項２に記載の撮像装置（１００）。
【請求項４】
前記撮影モードが静止画撮影モードであり、撮影駒速が所定値以下である場合は、
前記回路基板（５０）に送風することを特徴とする請求項１に記載の撮像装置（１００）。
【請求項５】
前記撮影モードが静止画撮影モードであり、撮影駒速が所定値以上である場合は、
前記回路基板（５０）、シャッター駆動用モータ（１６）、前記撮像素子（１４）の順に送風し、
前記送風時間比率は、前記回路基板（５０）が最も高く、前記撮像素子（１４）が最も低くなる第３の送付時間比率とすることを特徴とする請求項１に記載の撮像装置。
【発明の詳細な説明】
【技術分野】
【０００１】
本発明は、ファンの送風によって発熱源を冷却する撮像装置に関し、特に発熱源が複数あり、各発熱源を送風冷却する撮像装置に関するものである。
【背景技術】
【０００２】
従来、デジタルカメラにおいても、撮像素子の高画素化および動画の高フレームレート化などにより撮像素子や画像処理回路の消費電力が高くなり、発熱量が増え、熱による撮影画像劣化や外装温度の高温化が問題となっている。また、デジタルカメラ自体も小型化が求められ、熱を逃がす部分も少なくなっている。そのため、従来から行っている伝熱部材を用いて熱を各部材に拡散させて均一化する熱対策では限界がある。
【０００３】
そこでファンなどを用いた強制空冷なども提案されており、特許文献１では、ヒートパイプの一端を発熱源に接合させ、もう一端をファンで送風冷却する技術が開示されている。
【０００４】
特許文献２では、撮像装置に装着した場合に撮像装置の放熱を効果的に行う外部装置が開示されている。
【先行技術文献】
【特許文献】
【０００５】
【特許文献１】特開２００８−３０６４８９号公報
【特許文献２】特開２０１３−２１９５９０号公報
【発明の概要】
【発明が解決しようとする課題】
【０００６】
しかしながら、上述の特許文献１に開示された従来技術では、ヒートパイプの一端を発熱源に接合させるため、発熱源が複数あり、且つ離れた場所に配置されている場合、全ての発熱源をヒートパイプに接合させることは困難であった。また上述の特許文献２に開示された技術では、冷却ファンを内蔵した外部装置（照明装置）を装着するだけなので、撮像装置内の空気が循環するのみであり、複数ある発熱源に効率的に送風することが困難であった。
【０００７】
そこで本発明の目的は、撮像装置内に発熱源が複数ある場合においても夫々の発熱源を効率良く送風冷却し、温度を均一化することで撮影可能時間を延ばすことが可能な撮像装置を提供することである。
【課題を解決するための手段】
【０００８】
上記目的を達成するために、本発明は、撮像素子と画像処理回路を実装した回路基板を含む複数の発熱源と、該複数の発熱源を冷却するためのファンと、前記複数の発熱源に前記ファンの風を送風する風向板と、前記複数の発熱源の内、所望の発熱源に送風するために前記風向板の角度を制御する風向制御手段と、撮影モードを選択する撮影モード選択手段を有する撮像装置において、前記複数の発熱源における温度上昇率を撮影条件毎に記憶する温度上昇率記憶手段を有し、前記撮影モード選択手段により選択された撮影モードにおける温度上昇率が高い発熱源から順に送風し、温度上昇率の高い発熱源の送風時間比率を高くすることを特徴とする。
【発明の効果】
【０００９】
本発明によれば、複数ある発熱源の夫々が限界温度に達するまでの時間を遅らせ、温度を均一化することが出来、撮影可能時間を延ばすことが可能な撮像装置を提供することが出来る。
【図面の簡単な説明】
【００１０】
【図１】本発明の実施形態であるデジタルカメラの内部構成を示すブロック図である。
【図２】本発明の実施形態であるデジタルカメラの上方断面図である。
【図３】撮影時に発熱源へ送風して冷却する動作を示すフローチャートであり、撮影モードを判別する際のフローチャートである。
【図４】撮影モードが動画撮影モードであり、フレームレートが所定値以下である場合の動画撮影動作を示すフローチャートである。
【図５】撮影モードが動画撮影モードであり、フレームレートが所定値以上である場合の動画撮影動作を示すフローチャートである。
【図６】撮影モードが静止画撮影モードであり、連写駒速が所定値以下である場合の静止画撮影動作を示すフローチャートである。
【図７】撮影モードが静止画撮影モードであり、連写駒速が所定値以上である場合の静止画撮影動作を示すフローチャートである。
【発明を実施するための形態】
【００１１】
以下に、本発明の好ましい実施の形態を、添付の図面に基づいて詳細に説明する。はじめに、図１および図２を用いて、本発明の実施形態であるデジタルカメラの構成について説明する。
【００１２】
図１は、本発明の実施形態であるデジタルカメラの内部構成を示すブロック図であり、図２は、デジタルカメラの上方断面図である。１００はデジタルカメラ本体であり、以下のように構成されている。１２は、遮光部材である撮像用シャッターであり、シャッター駆動用モータ１６を通電駆動することにより開き、シャッター用マグネット（図示せず）への通電を解除することで閉じる。撮像用シャッターを開閉することで、撮像素子１４への露光量を制御する。
【００１３】
１４は、光学像を電気信号に変換する撮像素子である。撮影レンズ１８に入射した光束は、シャッター１２を介して導かれ、光学像として撮像素子１４の撮像面上に結像する。１６はシャッター駆動用モータであり、撮像用シャッター制御回路２８に制御され、撮像用シャッター１２を駆動する。１８は、撮影レンズである。２０は、デジタルカメラ本体１００全体を制御するシステム制御回路であり、デジタルカメラ本体１００の様々な動作において、判別手段および制御手段として用いられる。
【００１４】
またシステム制御回路２０は、撮像素子１４によって撮像した画像データを画像処理回路２２によって演算した演算結果に基づき、撮像用シャッター制御回路２８、絞り制御回路（図示せず）、測距制御回路（図示せず）に対して制御行い、ＡＦ処理およびＡＥ処理を行う。
【００１５】
２２は画像処理回路であり、撮像素子１４で撮像した画像データに対して所定の画素補間処理や色変換処理を行う他、適応離散コサイン変換（ＡＤＣＴ）などにより画像データを圧縮伸長するなど、画像処理に掛かる制御を行っている。２４は、システム制御回路２０の動作用の定数、変数、プログラムなどの記憶手段であるメモリである。メモリ２４は、複数あるデジタルカメラ本体１００内の発熱源の温度上昇率から算出した送風順番および送付時間比率を撮影モード毎、もしくは撮影条件毎に記憶している。
【００１６】
２６は、経過時間を測定するタイマーである。２８は、撮像用シャッター１２を制御する撮像用シャッター制御回路である。システム制御回路２０からの指示により、シャッター駆動用モータ１６およびシャッター用マグネット（図示せず）への通電制御を行う。
【００１７】
３２はファンであり、３４はファン制御回路である。ファン３２はファン制御回路３４を介してシステム制御回路に制御され、デジタルカメラ本体１００内の空気を循環させる。３６は風向板であり、３８は風向制御手段である風向板制御回路、４０は風向板を駆動するアクチュエータである。風向板制御回路３８は、システム制御回路２０に制御されてアクチュエータ４０を駆動し、風向板３６を所望の角度に変更する。風向板３６が角度を変えることで、ファン３２からの風を複数ある発熱源の内、所望（所定）の発熱源へ送風する。
【００１８】
５０は回路基板であり、システム制御回路２０や画像処理回路２２、メモリ２４、タイマー２６、撮像用シャッター制御回路２８などが実装されている。モードダイヤル６０、レリーズスイッチＳＷ１（６２）およびレリーズスイッチＳＷ２（６４）、動画撮影スイッチ６６、操作部７０、電源スイッチ７２は、システム制御回路２０の各種動作指示を入力するための操作手段である。
【００１９】
モードダイヤル６０は、撮影モードを切り替え設定することが出来る撮影モード選択手段であり、静止画撮影モードや動画撮影モードなど各種撮影モードを有する。また、静止画撮影モードでは、更に単写撮影モードと連写撮影モード（高速連写・低速連写）が選択可能である。動画撮影モードでは、例えばＦＨＤや４Ｋなどの記録画質、３０Ｐ・６０Ｐ・１２０Ｐなどのフレームレートを選択可能である。
【００２０】
レリーズスイッチＳＷ１（６２）はレリーズ釦（図示せず）の操作途中でオンとなり、ＡＦ（オートフォーカス）処理、ＡＥ（自動露出）処理、ＷＢ（ホワイトバランス）処理、ＥＦ（ストロボ調光）処理などの動作開始を指示する。レリーズスイッチＳＷ２（６４）は、レリーズ釦（図示せず）の操作完了でオンとなり、撮像素子１４から読み出した画像データを画像処理回路２２で所定の画像処理を行い、記録媒体（図示せず）に画像データとして書き込む一連の静止画撮影処理動作の開始を指示する。
【００２１】
動画撮影スイッチ６６は、押しボタンやレバーなどから成り、一度オンされると動画撮影を開始し、再びオンされると動画記録を停止する。操作部７０は、各種ボタンやスイッチなどから成り、撮影および再生を実行する際に各種機能の選択および撮影条件の設定、撮影および再生に掛かる指示を行う。電源スイッチ７２は、デジタルカメラ本体１００の電源オン、電源オフを切り替え設定することが出来る。７４は、ＴＦＴなどの画像表示手段である表示部である。
【００２２】
８０は電源制御回路であり、電池検出回路、ＤＣ／ＤＣコンバータ、通電するブロックを切り替えるスイッチ回路などにより構成されている。電池８２の種類や残量の検出を行い、検出結果およびシステム制御回路５０の指示に基づいてＤＣ−ＤＣコンバータを制御し、必要な電圧を必要な期間、記録媒体を含む各部へ供給する。８２は、ＮｉＣｄ電池やＮｉＭＨ電池、Ｌｉ電池などの二次電池から成る電池であり、デジタルカメラ本体１００の電源となる。
【００２３】
以下、図３乃至図７を参照して、本発明の実施形態であるデジタルカメラの動作について説明する。
【００２４】
図３は、撮影時に発熱源へ送風して冷却する動作を示すフローチャートであり、撮影モードを判別する際のフローチャートである。
【００２５】
はじめに、システム制御回路２０は電源スイッチ７２により電源がオンされたか否かを判別する（ステップＳ１０１）。電源がオンされていない場合（ステップＳ１０１のＮＯ側）、電源がオンされるまで判別動作を繰り返す。電源がオンされた場合（ステップＳ１０１のＹＥＳ側）、システム制御回路２０は、モードダイヤル６０で選択されている撮影モードを判別する（ステップＳ１０２）。
【００２６】
モードダイヤル６０で選択されている撮影モードが動画撮影モードであった場合、次にシステム制御回路２０は、動画撮影条件のフレームレートが所定値以上であるか否かを判別する（ステップＳ１０３）。ステップＳ１０３において、フレームレートが所定値以下であった場合（ステップＳ１０３のＮＯ側）は、メモリ２４から送風順番および送風時間比率に関する送風制御情報を読み出し（ステップＳ１０４）、図４のステップＳ２００へ進む（ステップＳ１０５）。
【００２７】
フレームレートが所定値以上であった場合（ステップＳ１０３のＹＥＳ側）はメモリ２４から送風順番および送風時間比率に関する送風制御情報を読み出し（ステップＳ１０６）、図５のステップＳ３００へ進む（ステップＳ１０７）。フレームレートの所定値とは、６０Ｐ未満で比較的フレームレートが低い場合を指す。ステップＳ１０２において、モードダイヤル６０で選択されている撮影モードが静止画撮影モードであった場合、続いてシステム制御回路２０は連写モードであるか否かを判別する（ステップＳ１０８）。
【００２８】
連写モードであった場合（ステップＳ１０８のＹＥＳ側）、次にシステム制御回路２０は撮影条件として設定されている撮影駒速が所定値以上であるか否かを判別する（ステップＳ１０９）。
【００２９】
撮影駒速が所定値以下であった場合（ステップＳ１０９のＮＯ側）は、メモリ２４から送風順番および送風時間比率に関する送風制御情報を読み出し（ステップＳ１１０）、図６のステップＳ４００へ進む（ステップＳ１１１）。撮影駒速が所定値以上であった場合（ステップＳ１０９のＹＥＳ側）、メモリ２４から送風順番および送風時間比率に関する送風制御情報を読み出し（ステップＳ１１２）、図７のステップＳ５００へ進む（ステップＳ１１３）。
【００３０】
ステップＳ１０８において、撮影モードが単写撮影モードであった場合（ステップＳ１０８のＮＯ側）、ファン３２の送風による発熱源の冷却を行わず（ステップＳ１１４）、撮影を実行する。静止画撮影モードで且つ単写撮影モードである場合、撮像装置本体１００の消費電力が少なく発熱量も少ないため、撮影中の冷却は不要である。
【００３１】
次に図４を用いて、図３ステップＳ１０５である動画撮影モードでフレームレートが所定値以下である場合の動作について説明する。
【００３２】
図４は、撮影モードが動画撮影モードであり、フレームレートが所定値以下である場合の動画撮影動作を示すフローチャートである。まずシステム制御回路２０は、動画撮影スイッチ６６がオンされたか否かを判別する（ステップＳ２０１）。
【００３３】
動画撮影スイッチ６６がオンされていない場合（ステップＳ２０１のＮＯ側）は、動画撮影スイッチ６６がオンされるまで、判別動作を繰り返す。動画撮影スイッチ６６がオンされたと判別された場合（ステップＳ２０１のＹＥＳ側）、システム制御回路２０は、ＡＦ処理およびＡＥ処理を行った後に撮像素子１４を露光し、画像処理回路２２が撮像素子１４から読み出された画像データに所定の画像処理を行って、記録媒体（図示せず）記録する一連の動画撮影動作を開始する（ステップＳ２０２）。
【００３４】
続いてシステム制御回路２０は、ファン制御回路３４を介してファン３２の駆動を開始する（ステップＳ２０３）。そして風向板制御回路３８を介してアクチュエータ４０を駆動し、風向板３６の角度を第１の角度に変更する（ステップＳ２０４）。第１の角度とは、発熱源の１つである回路基板５０にファン３２の風が送風される角度である。システム制御回路２０は、タイマー２６をスタートさせ（ステップＳ２０５）、タイマー２６が所定時間Ｔａ１経過したか否かを判定する（ステップＳ２０６）。
【００３５】
所定時間Ｔａ１経過していない場合（ステップＳ２０６のＮＯ側）、システム制御回路２０は、動画撮影停止を示す動画撮影スイッチ６６再押しがなされたか否かを判別する（ステップＳ２０７）。動画撮影スイッチ６６が再押しされていない場合（ステップＳ２０７のＮＯ側）は、ステップＳ２０６へ戻り、動画撮影スイッチ６６が再押しされた場合（ステップＳ２０７のＹＥＳ側）は、ステップＳ２１２へと進む。
【００３６】
ステップＳ２０６においてタイマー２６が所定時間Ｔａ１経過した場合（ステップＳ２０６のＹＥＳ側）、システム制御回路２０は、風向板制御回路３８を介してアクチュエータ４０を駆動し、風向板３６の角度を第２の角度に変更する（ステップＳ２０８）。第２の角度とは、発熱源の１つである撮像素子１４にファン３２の風が送風される角度である。
【００３７】
続いてシステム制御回路２０は、タイマー２６をスタートさせ（ステップＳ２０９）、タイマー２６が所定時間Ｔｂ１経過したか否かを判定する（ステップＳ２１０）。タイマー２６が所定時間Ｔｂ１経過した場合（ステップＳ２１０のＹＥＳ側）、ステップＳ２０４へ戻る。
【００３８】
ステップＳ２１０においてタイマー２６が所定時間Ｔｂ１経過していなかった場合（ステップＳ２１０のＮＯ側）、システム制御回路２０は、動画撮影停止を示す動画撮影スイッチ６６再押しがなされたか否かを判別する（ステップＳ２１１）。動画撮影スイッチ６６が再押しされていない場合（ステップＳ２１１のＮＯ側）は、ステップＳ２１０へ戻る。
【００３９】
ステップＳ２１１において動画撮影スイッチ６６が再押しされた場合（ステップＳ２１１のＹＥＳ側）、システム制御回路２０は動画撮影を停止させ（ステップＳ２１２）、ファン制御回路３４を介してファン３２の駆動も停止させ（ステップＳ２１３）、動画撮影動作を終了する（ステップＳ２１４）。
【００４０】
所定時間Ｔａおよび所定定時間Ｔｂは、撮影中の回路基板５０および撮像素子１４の温度上昇率から決定される。フレームレートが比較的低い動画撮影では、温度上昇率としては回路基板５０が最も高いが、フレームレートが高い動画撮影よりも撮像素子１４と回路基板５０の温度差が小さいため、所定時間Ｔａ１と所定時間Ｔｂ１の差は大きくない。
【００４１】
次に図５を用いて、図３ステップＳ１０７である動画撮影モードでフレームレートが所定値以下である場合の動作について説明する。
【００４２】
図５は、撮影モードが動画撮影モードであり、フレームレートが所定値以上である場合の動画撮影動作を示すフローチャートである。
【００４３】
ステップＳ３０１からステップＳ３０５までとステップＳ３０７からステップＳ３０９まで、ステップＳ３１１以降は、図４のステップＳ２０１からステップＳ２０５までとステップＳ２０７からステップＳ２０９まで、ステップＳ２１１以降と同じである。ステップＳ３０６において、システム制御回路２０は、タイマー２６が所定時間Ｔａ２経過したか否かを判定する。
【００４４】
所定時間Ｔａ２経過している場合（ステップＳ３０６のＹＥＳ側）、ステップＳ３０８へ進み、所定時間Ｔａ２経過していない場合（ステップＳ３０６のＮＯ側）、ステップＳ３０７へと進む。ステップＳ３１０において、システム制御回路２０は、タイマー２６が所定時間Ｔｂ２経過したか否かを判定する。所定時間Ｔｂ２経過している場合（ステップＳ３１０のＹＥＳ側）、ステップＳ３０４に戻り、所定時間Ｔｂ２経過していない場合（ステップＳ３１０のＮＯ側）、ステップＳ３１１へと進む。
【００４５】
先述したように、所定時間Ｔａおよび所定定時間Ｔｂは、撮影中の回路基板５０および撮像素子１４の温度上昇率から決定される。フレームレートが高い動画撮影では、画像処理回路２２が高速で画像データを処理するため回路基板５０の消費電力が高く発熱量が多くなるので、回路基板５０の温度上昇率が高く、フレームレートが低い動画撮影よりも撮像素子１４と回路基板５０の温度差が大きい。よって所定時間Ｔａ２は所定時間Ｔａ１よりも長く、所定時間Ｔｂ２は予定時間Ｔｂ１より短い。
【００４６】
次に図６を用いて、図２ステップＳ１１１である静止画撮影モードで連写駒速が所定値以下である場合の動作について説明する。
【００４７】
図６は、撮影モードが静止画撮影モードであり、連写駒速が所定値以下である場合の静止画撮影動作を示すフローチャートである。
【００４８】
まずシステム制御回路２０は、レリーズスイッチＳＷ１（６２）がオンされたか否かを判別する（Ｓ４０１）。レリーズスイッチＳＷ１（６２）がオンされていない場合（ステップＳ４０１のＮＯ側）、システム制御回路２０はレリーズスイッチＳＷ１（６２）がオンされるまで判別動作を繰り返す。
【００４９】
レリーズスイッチＳＷ１（６２）がオンされたと判別された場合（ステップＳ４０１のＹＥＳ側）、システム制御回路２０はファン制御回路３４を介してファン３２の駆動を開始する（ステップＳ４０２）。そして風向板制御回路３８を介してアクチュエータ４０を駆動し、風向板３６の角度を第１の角度に変更する（ステップＳ４０３）。
【００５０】
そしてシステム制御回路２０は、撮像素子１４によって撮像した画像データを画像処理回路２２によって演算した演算結果に基づき、ＡＦ処理およびＡＥ処理を行う（ステップＳ４０４）。続いてシステム制御回路５０は、レリーズスイッチＳＷ２（６４）がオンされたか否かを判別する（ステップＳ４０５）。
【００５１】
レリーズスイッチＳＷ２（６４）がオンされたと判別された場合（ステップＳ４０５のＹＥＳ側）、システム制御回路２０は、撮像用シャッター制御回路２８およびシャッター駆動用モータ１６を介して撮像用シャッター１２を駆動し、撮像素子１４を露光して、画像処理回路２２が撮像素子１４から読み出された画像データに所定の画像処理を行い、記録媒体（図示せず）記録する一連の静止画撮影動作を行う（ステップＳ４０６）。
【００５２】
ステップＳ４０５にてレリーズスイッチＳＷ２（６４）がオンされていないと判別された場合（ステップＳ４０５のＮＯ側）、システム制御回路２０は、レリーズスイッチＳＷ１（６２）がオンされているか否かを判別する（ステップＳ４０７）。
【００５３】
レリーズスイッチＳＷ１（６２）がオンされている場合（ステップＳ４０７のＹＥＳ側）、ステップＳ４０４に戻る。レリーズスイッチＳＷ１（６２）がオンされていないと判別された場合（ステップＳ４０７のＮＯ側）、システム制御回路２０はファン制御回路３４を介してファン３２の駆動を停止させ（ステップＳ４０８）、静止画撮影動作を終了する（ステップＳ４０９）。静止画撮影モードで連写駒速が所定値以下の場合、撮像素子１４の発熱量が少ないため、回路基板５０のみ冷却を行えば良い。
【００５４】
次に図７を用いて、図３ステップＳ１１３である静止画撮影モードで連写駒速が所定値以上である場合の動作について説明する。
【００５５】
図７は、撮影モードが静止画撮影モードであり、連写駒速が所定値以上である場合の静止画撮影動作を示すフローチャートである。
【００５６】
はじめにシステム制御回路２０は、レリーズスイッチＳＷ１（６２）がオンされたか否かを判別する（Ｓ５０１）。レリーズスイッチＳＷ１（６２）がオンされていない場合（ステップＳ５０１のＮＯ側）、システム制御回路２０はレリーズスイッチＳＷ１（６２）がオンされるまで判別動作を繰り返す。
【００５７】
レリーズスイッチＳＷ１（６２）がオンされたと判別された場合（ステップＳ５０１のＹＥＳ側）、システム制御回路２０はファン制御回路３４を介してファン３２の駆動を開始する（ステップＳ５０２）。そして風向板制御回路３８を介してアクチュエータ４０を駆動し、風向板３６の角度を第１の角度に変更する（ステップＳ５０３）。
【００５８】
システム制御回路２０は、タイマー２６をスタートさせ（ステップＳ５０４）、撮像素子１４によって撮像した画像データを画像処理回路２２によって演算した演算結果に基づき、ＡＦ処理およびＡＥ処理を行う（ステップＳ５０５）。
【００５９】
続いてシステム制御回路５０は、レリーズスイッチＳＷ２（６４）がオンされたか否かを判別する（ステップＳ５０６）。
【００６０】
レリーズスイッチＳＷ２（６４）がオンされていないと判別された場合（ステップＳ５０６のＮＯ側）、システム制御回路２０は、レリーズスイッチＳＷ１（６２）がオンされているか否かを判別する（ステップＳ５０７）。レリーズスイッチＳＷ１（６２）がオンされている場合（ステップＳ５０７のＹＥＳ側）はステップＳ５０５へ戻り、レリーズスイッチＳＷ１（６２）がオンされていない場合（ステップＳ５０７のＮＯ側）はステップＳ５２６へと進む。
【００６１】
ステップＳ５０６においてレリーズスイッチＳＷ２（６４）がオンされたと判別された場合（ステップＳ５０６のＹＥＳ側）、システム制御回路２０は、撮像用シャッター制御回路２８およびシャッター駆動用モータ１６を介して撮像用シャッター１２を駆動し、撮像素子１４を露光して、画像処理回路２２が撮像素子１４から読み出された画像データに所定の画像処理を行い、記録媒体（図示せず）記録する一連の静止画撮影動作を行う（ステップＳ５０８）。
【００６２】
次にシステム制御回路２０は、タイマー２６が所定時間Ｔａ３経過したか否かを判定する（ステップＳ５０９）。所定時間Ｔａ３経過していない場合（ステップＳ５０９のＮＯ側）ステップＳ５０５へ戻る。
【００６３】
タイマー２６が所定時間Ｔａ３経過している場合（ステップＳ５０９のＹＥＳ側）、システム制御回路２０は、風向板制御回路３８を介してアクチュエータ４０を駆動し、風向板３６の角度を第３の角度に変更する（ステップＳ５１０）。第３の角度とは、発熱源の１つであるシャッター駆動用モータ１６にファン３２の風が送風される角度である。
【００６４】
続いてシステム制御回路２０は、タイマー２６をスタートさせ（ステップＳ５１１）、撮像素子１４によって撮像した画像データを画像処理回路２２によって演算した演算結果に基づき、ＡＦ処理およびＡＥ処理を行う（ステップＳ５１２）。そしてシステム制御回路５０は、レリーズスイッチＳＷ２（６４）がオンされたか否かを判別する（ステップＳ５１３）。
【００６５】
レリーズスイッチＳＷ２（６４）がオンされていないと判別された場合（ステップＳ５１３のＮＯ側）、システム制御回路２０は、レリーズスイッチＳＷ１（６２）がオンされているか否かを判別する（ステップＳ５１４）。レリーズスイッチＳＷ１（６２）がオンされている場合（ステップＳ５１４のＹＥＳ側）はステップＳ５１２へ戻り、レリーズスイッチＳＷ１（６２）がオンされていない場合（ステップＳ５１４のＮＯ側）はステップＳ５２６へと進む。
【００６６】
ステップＳ５１３においてレリーズスイッチＳＷ２（６４）がオンされたと判別された場合（ステップＳ５１３のＹＥＳ側）、ステップＳ５０８と同様に一連の静止画撮影動作を行う（ステップＳ５１５）。
【００６７】
次にシステム制御回路２０は、タイマー２６が所定時間Ｔｃ経過したか否かを判定する（ステップＳ５１６）。所定時間Ｔｃ経過していない場合（ステップＳ５１６のＮＯ側）ステップＳ５１２へ戻る。タイマー２６が所定時間Ｔｃ経過している場合（ステップＳ５１６のＹＥＳ側）、システム制御回路２０は、風向板制御回路３８を介してアクチュエータ４０を駆動し、風向板３６の角度を第２の角度に変更する（ステップＳ５１７）。
【００６８】
続いてシステム制御回路２０は、タイマー２６をスタートさせ（ステップＳ５１８）、撮像素子１４によって撮像した画像データを画像処理回路２２によって演算した演算結果に基づき、ＡＦ処理およびＡＥ処理を行う（ステップＳ５１９）。そしてシステム制御回路５０は、レリーズスイッチＳＷ２（６４）がオンされたか否かを判別する（ステップＳ５２０）。
【００６９】
レリーズスイッチＳＷ２（６４）がオンされたと判別された場合（ステップＳ５２０のＹＥＳ側）、ステップＳ５０８、ステップＳ５１５と同様に一連の静止画撮影動作を行う（ステップＳ５２１）。
【００７０】
次にシステム制御回路２０は、タイマー２６が所定時間Ｔｂ３経過したか否かを判定する（ステップＳ５２２）。所定時間Ｔｂ３経過していない場合（ステップＳ５２２のＮＯ側）ステップＳ５１９へ戻り、タイマー２６が所定時間Ｔｂ３経過している場合（ステップＳ５２２のＹＥＳ側）、ステップＳ５０３へ戻る。
【００７１】
ステップＳ５２０にてレリーズスイッチＳＷ２（６４）がオンされていないと判別された場合（ステップＳ５２０のＮＯ側）、システム制御回路２０は、レリーズスイッチＳＷ１（６２）がオンされているか否かを判別する（ステップＳ５２３）。レリーズスイッチＳＷ１（６２）がオンされている場合（ステップＳ５２３のＹＥＳ側）、ステップＳ５１９に戻る。レリーズスイッチＳＷ１（６２）がオンされていないと判別された場合（ステップＳ５２３のＮＯ側）、システム制御回路２０はファン制御回路３４を介してファン３２の駆動を停止させ（ステップＳ５２４）、静止画撮影動作を終了する（ステップＳ５２５）。
【００７２】
静止画撮影モードで連写駒速が所定値以上の場合、撮像用シャッター１２の高速で動作するため、それを駆動させるシャッター駆動用モータ１６の消費電力が高くなり発熱量が多くなる。よってシャッター駆動用モータ１６もファン３２による送風冷却が必要な発熱源の１つとなる。
【００７３】
また、連写駒速が所定値以上の場合、画像処理回路２２が高速で画像データを処理するため回路基板５０の消費電力が高く発熱量が多くなるので、回路基板５０の温度上昇率が高くなる。撮像素子１４と回路基板５０、シャッター駆動用モータ１６の温度上昇率を比較すると回路基板５０が最も高く、撮像素子１４が最も低くなるため、回路基板５０・シャッター駆動用モータ１６・撮像素子１４の順番で送風冷却し、且つ送風時間比率も同順の割合で高くする。
【００７４】
以上説明したように、温度上昇率の高い発熱源から先に送風冷却し、送風時間比率も発熱源の温度上昇率から決定することで、複数ある発熱源の各部が限界温度に達するまでの時間を遅らせることが出来る。また温度上昇率の高い発熱源から先に送風冷却するので、デジタルカメラ本体１００内の温度を均一化することが出来、撮影可能時間を延ばすことが可能である。
【００７５】
本発明の好ましい実施形態について説明したが、本発明はこれらの実施形態に限定されず、その要旨の範囲内で種々の変形及び変更が可能である。本実施例では、動画撮影停止と共にファン３２の駆動も停止させて発熱源への送風を中止したが、その限りではなく、発熱源の温度が高温である場合はそのままファン３２による送風を継続しても良い。また本実施例ではファン３２をデジタルカメラ本体１００に内蔵した構成としたが、その限りではなく、ファンを使用した冷却アクセサリーを装着しても良い。
【符号の説明】
【００７６】
１４：撮像素子
１６：シャッター駆動用モータ
２０：システム制御回路
２２：画像処理回路
２４：メモリ
３２：ファン
３６：風向板
３８：風向板制御回路
５０：回路基板
６０：モードダイヤル
１００：デジタルカメラ本体
【図１】
2019193174.tif 000003
【図２】
2019193174.tif 000004
【図３】
2019193174.tif 000005
【図４】
2019193174.tif 000006
【図５】
2019193174.tif 000007
【図６】
2019193174.tif 000008
【図７】
2019193174.tif 000009